(57)【要約】【課題】よりスリムでコンパクトな構造を有し、ＲＦコネクタがボディ内に厚さ方向に内蔵されたキャビティフィルタおよびこれに含まれるコネクティング構造体を提供する。【解決手段】キャビティフィルタは、一面に電極パッドが備えられた外部部材に対して所定距離離隔して備えられたＲＦ信号連結部と、外部部材の電極パッドとＲＦ信号連結部とを電気的に連結させるが、所定距離に存在する組立公差を吸収すると同時に電極パッドとＲＦ信号連結部との間の電気的な流れの断絶を予防する端子部とを含む。端子部は、電極パッドとＲＦ信号連結部との間に位置するいずれか一部が弾性変形する動作で端子挿入口内の組立公差を吸収するように備えられている。【選択図】図１
2021527981.tif 000002
【特許請求の範囲】
【請求項１】
一面に電極パッドが備えられた外部部材に対して所定距離離隔して備えられたＲＦ信号連結部と、
前記外部部材の電極パッドと前記ＲＦ信号連結部とを電気的に連結させるが、前記所定距離に存在する組立公差を吸収すると同時に前記電極パッドと前記ＲＦ信号連結部との間の電気的な流れの断絶を予防する端子部とを含み、
前記端子部は、
前記電極パッドと前記ＲＦ信号連結部との間に位置するいずれか一部が弾性変形する動作で端子挿入口内の組立公差を吸収するように備えられた、キャビティフィルタ。
【請求項２】
前記端子部は、前記端子挿入口内に単数個の単一端子部で備えられた、請求項１に記載のキャビティフィルタ。
【請求項３】
前記端子部は、
前記電極パッドに接触して備えられ、組立者が提供する組立力によって弾性変形する一側端子と、
前記一側端子と連結され、前記端子挿入口内で動かないように固定され、下端部が前記ＲＦ信号連結部にソルダ固定された他側端子とを含む、請求項１に記載のキャビティフィルタ。
【請求項４】
前記端子部は、
前記電極パッドに接触して備えられるが、組立者が提供する組立力によって前記端子挿入口内で動くように備えられた一側端子と、
前記一側端子と連結され、前記一側端子から提供される組立力によって弾性変形し、前記ＲＦ信号連結部にソルダ固定された他側端子とを含む、請求項１に記載のキャビティフィルタ。
【請求項５】
前記一側端子の上端部は、記号文字である「疑問符」形状に形成された、請求項２または３に記載のキャビティフィルタ。
【請求項６】
前記一側端子および前記他側端子は、導電性材質からなる、請求項３または４に記載のキャビティフィルタ。
【請求項７】
前記端子挿入口内に挿入配置されるが、前記端子部の一部を取り囲むように配置された誘電体をさらに含む、請求項１に記載のキャビティフィルタ。
【請求項８】
前記端子挿入口内に挿入配置されるが、前記端子部の一部を固定させる補強プレートをさらに含む、請求項１に記載のキャビティフィルタ。
【請求項９】
前記一側端子および前記他側端子のいずれか１つには、上下方向に長く形成された複数のテンション切開部が備えられ、
前記テンション切開部は、前記一側端子に備えられるが、前記他側端子の上端部が前記一側端子の下端部の内部に収容される、請求項８に記載のキャビティフィルタ。
【請求項１０】
前記単一端子部で備えられた前記端子部は、
前記端子挿入口の直下方一側に備えられたＲＦ信号連結部に連結されるように折曲形成された、請求項２に記載のキャビティフィルタ。
【請求項１１】
前記単一端子部で備えられた前記端子部は、
前記組立力によって弾性変形する弾性変形部が形成された、請求項２に記載のキャビティフィルタ。
【請求項１２】
前記弾性変形部は、一部が切開されたリング形状に形成された、請求項１１に記載のキャビティフィルタ。
【請求項１３】
前記弾性変形部は、上下ジグザグ状に折曲形成された、請求項１１に記載のキャビティフィルタ。
【請求項１４】
一面に電極パッドが備えられた外部部材に対して所定距離離隔して備えられたＲＦ信号連結部と、
前記外部部材の電極パッドと前記ＲＦ信号連結部とを電気的に連結させるが、前記所定距離に存在する組立公差を吸収すると同時に前記電極パッドと前記ＲＦ信号連結部との間の電気的な流れの断絶を予防する端子部とを含み、
前記端子部は、
前記電極パッドと前記ＲＦ信号連結部との間に位置するいずれか一部が弾性変形する動作で端子挿入口内の組立公差を吸収するように備えられた、コネクティング構造体。
【発明の詳細な説明】
【技術分野】
【０００１】
本発明は、キャビティフィルタおよびこれに含まれるコネクティング構造体（ＣＡＶＩＴＹ  ＦＩＬＴＥＲ  ＡＮＤ  ＣＯＮＮＥＣＴＯＲ  ＩＮＣＬＵＤＥＤ ＩＮ  ＴＨＥ  ＳＡＭＥ）に関し、より詳しくは、組立性および大きさを考慮してフィルタと印刷回路基板との間のコネクタ締結構造を改善したＭａｓｓｉｖｅ  ＭＩＭＯアンテナ用キャビティフィルタおよびこれに含まれるコネクティング構造体に関する。
【背景技術】
【０００２】
この部分の記述内容は単に本実施例についての背景情報を提供するに過ぎず、従来技術を構成するものではない。
【０００３】
ＭＩＭＯ（Ｍｕｌｔｉｐｌｅ  Ｉｎｐｕｔ  Ｍｕｌｔｉｐｌｅ  Ｏｕｔｐｕｔ）技術は、複数のアンテナを用いてデータ伝送容量を画期的に増加させる技術であって、送信機ではそれぞれの送信アンテナを介して互いに異なるデータを伝送し、受信機では適切な信号処理により送信データを区分する空間多重化（Ｓｐａｔｉａｌ  ｍｕｌｔｉｐｌｅｘｉｎｇ）手法である。そのため、送受信アンテナの個数を同時に増加させることにより、チャネル容量が増加してより多くのデータを伝送可能にする。例えば、アンテナ数を１０個に増加させると、現在の単一アンテナシステムに比べて、同じ周波数帯域を用いて約１０倍のチャネル容量を確保するようになる。
【０００４】
４Ｇ  ＬＴＥ−ａｄｖａｎｃｅｄでは８個のアンテナまで用いており、現在、ｐｒｅ−５Ｇ段階で６４または１２８個のアンテナを装着した製品が開発されており、５Ｇでははるかに多い数のアンテナを有する基地局装備が用いられることが予想され、これをＭａｓｓｉｖｅ  ＭＩＭＯ技術という。現在のセル（Ｃｅｌｌ）運営が２−Ｄｉｍｅｎｓｉｏｎであるのに対し、Ｍａｓｓｉｖｅ  ＭＩＭＯ技術が導入されると３Ｄ−Ｂｅａｍｆｏｒｍｉｎｇが可能になるので、Ｍａｓｓｉｖｅ  ＭＩＭＯ技術はＦＤ−ＭＩＭＯ（Ｆｕｌｌ  Ｄｉｍｅｎｓｉｏｎ）とも呼ばれる。
【０００５】
Ｍａｓｓｉｖｅ  ＭＩＭＯ技術では、アンテナ素子の個数増加に伴い、それによる送受信機とフィルタの個数も併せて増加する。また、２０１４年ベースで全国的に２０万箇所以上の基地局が設置されている状況である。すなわち、実装空間を最小化し実装が容易なキャビティフィルタの構造が必要になり、個別的にチューニングされたキャビティフィルタがアンテナに実装された後も同一のフィルタ特性を提供するようにするＲＦ信号線連結構造が要求される。
【０００６】
キャビティ構造を有するＲＦフィルタは、金属性導体で形成されたボックス構造の内部に導体の共振棒などで構成された共振器が具備され、固有の周波数の電磁場だけを存在させることで共振によって超高周波の特性周波数のみ通過する特徴を有する。このようなキャビティ構造の帯域通過フィルタは、挿入損失が少なく高出力に有利で、移動通信基地局アンテナのフィルタとして多様に活用されている。
【発明の概要】
【発明が解決しようとする課題】
【０００７】
本発明の目的は、よりスリムでコンパクトな構造を有し、ＲＦコネクタがボディ内に厚さ方向に内蔵されたキャビティフィルタおよびこれに含まれるコネクティング構造体を提供することである。
【０００８】
また、本発明の目的は、複数のフィルタの組立時に発生する組立公差の累積量を最小化できる組立方式と、実装が容易でありながらもフィルタの周波数特性を均一に維持するＲＦ信号連結構造を有するキャビティフィルタおよびこれに含まれるコネクティング構造体を提供することである。
【０００９】
さらに、本発明の目的は、ＲＦピンの分離タイプの場合、相対的な動きを許容しながらも側面テンションを付加して信号の損失が発生するのを防止できるキャビティフィルタおよびこれに含まれるコネクティング構造体を提供することである。
【００１０】
また、本発明の目的は、電気的な連結が必要な２つの部材間の組立公差を吸収しながら一定の接点面積を維持させるとともに、その設置が非常に簡明なキャビティフィルタおよびこれに含まれるコネクティング構造体を提供することである。
【００１１】
本発明の技術的課題は以上に言及した技術的課題に制限されず、言及されていないさらに他の技術的課題は以下の記載から当業者に明確に理解されるであろう。
【課題を解決するための手段】
【００１２】
上記の目的を達成するための、本発明によるキャビティフィルタの実施形態は、一面に電極パッドが備えられた外部部材に対して所定距離離隔して備えられたＲＦ信号連結部と、前記外部部材の電極パッドと前記ＲＦ信号連結部とを電気的に連結させるが、前記所定距離に存在する組立公差を吸収すると同時に前記電極パッドと前記ＲＦ信号連結部との間の電気的な流れの断絶を予防する端子部とを含み、前記端子部は、前記電極パッドと前記ＲＦ信号連結部との間に位置するいずれか一部が弾性変形する動作で端子挿入口内の組立公差を吸収するように備えられる。
【００１３】
ここで、前記端子部は、前記端子挿入口内に単数個の単一端子部で備えられる。
【００１４】
また、前記端子部は、前記電極パッドに接触して備えられ、組立者が提供する組立力によって弾性変形する一側端子と、前記一側端子と連結され、前記端子挿入口内で動かないように固定され、下端部が前記ＲＦ信号連結部にソルダ固定された他側端子とを含むことができる。
【００１５】
また、前記端子部は、前記電極パッドに接触して備えられるが、組立者が提供する組立力によって前記端子挿入口内で動くように備えられた一側端子と、前記一側端子と連結され、前記一側端子から提供される組立力によって弾性変形し、前記ＲＦ信号連結部にソルダ固定された他側端子とを含むことができる。
【００１６】
また、前記一側端子の上端部は、記号文字である「疑問符」形状に形成されてもよい。
【００１７】
また、前記一側端子および前記他側端子は、導電性材質からなってもよい。
【００１８】
また、前記端子挿入口内に挿入配置されるが、前記端子部の一部を取り囲むように配置された誘電体をさらに含むことができる。
【００１９】
また、前記端子挿入口内に挿入配置されるが、前記端子部の一部を固定させる補強プレートをさらに含むことができる。
【００２０】
また、前記一側端子および前記他側端子のいずれか１つには、上下方向に長く形成された複数のテンション切開部が備えられ、前記テンション切開部は、前記一側端子に備えられるが、前記他側端子の上端部が前記一側端子の下端部の内部に収容される。
【００２１】
また、前記単一端子部で備えられた前記端子部は、前記端子挿入口の直下方一側に備えられたＲＦ信号連結部に連結されるように折曲形成される。
【００２２】
また、前記単一端子部で備えられた前記端子部は、前記組立力によって弾性変形する弾性変形部が形成される。
【００２３】
また、前記弾性変形部は、一部が切開されたリング形状に形成されてもよい。
【００２４】
また、前記弾性変形部は、上下ジグザグ状に折曲形成されてもよい。
【００２５】
本発明によるコネクティング構造体の一実施形態は、一面に電極パッドが備えられた外部部材に対して所定距離離隔して備えられたＲＦ信号連結部と、前記外部部材の電極パッドと前記ＲＦ信号連結部とを電気的に連結させるが、前記所定距離に存在する組立公差を吸収すると同時に前記電極パッドと前記ＲＦ信号連結部との間の電気的な流れの断絶を予防する端子部とを含み、前記端子部は、前記電極パッドと前記ＲＦ信号連結部との間に位置するいずれか一部が弾性変形する動作で端子挿入口内の組立公差を吸収するように備えられる。
【発明の効果】
【００２６】
本発明によれば、ＲＦコネクタがボディ内に厚さ方向に内蔵されてよりスリムでコンパクトな構造設計が可能で、複数のフィルタの組立時に発生する組立公差の累積量を最小化できる組立方式と、実装が容易でありながらもフィルタの周波数特性を均一に維持するＲＦ信号連結構造設計が可能であり、相対的な動きを許容しながらも側面テンションを付加して安定的な連結が可能なため、アンテナの性能低下を防止することができる。
【図面の簡単な説明】
【００２７】
【図１】例示的なＭａｓｓｉｖｅ  ＭＩＭＯアンテナの積層構造を図式化した図であり、
【図２】本発明の一実施形態によるキャビティフィルタがアンテナボードと制御ボードとの間に積層された状態を示す断面図であり、
【図３】本発明の一実施形態によるキャビティフィルタの構造を底側から眺めた平面透視図であり、
【図４】第１実施例によるキャビティフィルタの一部の構成を示す分解斜視図であり、
【図５】本発明の第１実施例によるキャビティフィルタを示す断面図であり、
【図６】図４の構成のうち端子部を示す斜視図であり、
【図７】本発明の第２実施例によるキャビティフィルタを示す分解斜視図であり、
【図８】本発明の第２実施例によるキャビティフィルタを示す断面図であり、
【図９】図７の構成のうち端子部を示す斜視図であり、
【図１０】本発明の第３実施例によるキャビティフィルタを示す分解斜視図であり、
【図１１】本発明の第３実施例によるキャビティフィルタを示す断面図であり、
【図１２】図１０の構成のうち端子部を示す斜視図であり、
【図１３】本発明の第４実施例によるキャビティフィルタを示す分解斜視図であり、
【図１４】本発明の第４実施例によるキャビティフィルタを示す断面図であり、
【図１５】図１３の構成のうち端子部を示す斜視図であり、
【図１６】本発明の第５実施例によるキャビティフィルタを示す分解斜視図であり、
【図１７】本発明の第５実施例によるキャビティフィルタを示す断面図であり、
【図１８】図１６の構成のうち端子部を示す斜視図であり、
【図１９】本発明の第６実施例によるキャビティフィルタを示す分解斜視図であり、
【図２０】本発明の第６実施例によるキャビティフィルタを示す断面図であり、
【図２１】図１９の構成のうち端子部を示す斜視図であり、
【図２２】本発明の第７実施例によるキャビティフィルタを示す分解斜視図であり、
【図２３】本発明の第７実施例によるキャビティフィルタを示す断面図であり、
【図２４】図２２の構成のうち端子部を示す斜視図であり、
【図２５】本発明の第８実施例によるキャビティフィルタを示す分解斜視図であり、
【図２６】本発明の第８実施例によるキャビティフィルタを示す断面図であり、
【図２７】図２５の構成のうち端子部を示す斜視図であり、
【図２８】本発明の第９実施例によるキャビティフィルタを示す分解斜視図であり、
【図２９】本発明の第９実施例によるキャビティフィルタを示す断面図であり、
【図３０】図２８の構成のうち端子部を示す斜視図であり、
【図３１】本発明の第１０実施例によるキャビティフィルタを示す分解斜視図であり、
【図３２】本発明の第１０実施例によるキャビティフィルタを示す断面図であり、
【図３３】図１０の構成のうち端子部を示す斜視図であり、
【図３４】本発明の第１１実施例によるキャビティフィルタを示す分解斜視図であり、
【図３５】本発明の第１１実施例によるキャビティフィルタを示す断面図であり、
【図３６】図３４の構成のうち端子部を示す斜視図であり、
【図３７】本発明の第１２実施例によるキャビティフィルタを示す分解斜視図であり、
【図３８】本発明の第１２実施例によるキャビティフィルタを示す断面図であり、
【図３９】図３７の構成のうち端子部を示す斜視図であり、
【図４０】本発明によるコネクティング構造体の一実施形態を示す断面図である。
【発明を実施するための形態】
【００２８】
以下、本発明の一部の実施例を例示的な図面により詳細に説明する。各図面の構成要素に参照符号を付加するにあたり、同一の構成要素については、たとえ他の図面上に表示されていても、できる限り同一の符号を有するようにしていることに留意しなければならない。また、本発明の実施例を説明するにあたり、かかる公知の構成または機能に関する具体的な説明が本発明の実施例に対する理解を妨げると判断された場合、その詳しい説明は省略する。
【００２９】
本発明の実施例の構成要素を説明するにあたり、第１、第２、Ａ、Ｂ、（ａ）、（ｂ）などの用語を使うことができる。このような用語は、その構成要素を他の構成要素と区別するためのものに過ぎず、その用語によって当該構成要素の本質や順番または順序などが限定されない。また、異なって定義されない限り、技術的または科学的な用語を含む、ここで使われるすべての用語は、本発明の属する技術分野における通常の知識を有する者によって一般的に理解されるのと同一の意味を有する。一般的に使われる、辞書に定義されているような用語は、関連技術の文脈上有する意味と一致する意味を有すると解釈されなければならず、本出願において明確に定義しない限り、理想的または過度に形式的な意味で解釈されない。
【００３０】
図１は、例示的なＭａｓｓｉｖｅ  ＭＩＭＯアンテナの積層構造を図式化した図である。
【００３１】
図１は、本発明の一実施形態によるキャビティフィルタが含まれたアンテナアセンブリが内蔵されるアンテナ装置１の例示的な外形を示したに過ぎず、実際の積層時の外形を限定するものではない。
【００３２】
アンテナ装置１は、ヒートシンク（Ｈｅａｔ  ｓｉｎｋ）が形成されたハウジング２と、ハウジング２に結合されたレドーム（ｒａｄｏｍｅ）３とを含む。ハウジング２とレドーム３との間にはアンテナアセンブリが内蔵可能である。
【００３３】
ハウジング２の下部には、例えば、ドッキング（ｄｏｃｋｉｎｇ）構造によりパワーサプライユニット（ＰＳＵ、Ｐｏｗｅｒ  Ｓｕｐｐｌｙ  Ｕｎｉｔ）４が結合され、パワーサプライユニット４は、アンテナアセンブリに備えられた通信部品を動作させるための動作電源を提供する。
【００３４】
通常、アンテナ組立体は、前面に複数のアンテナ素子６が配列されるアンテナボード５の背面にキャビティフィルタ（Ｃａｖｉｔｙ  ｆｉｌｔｅｒ）７がアンテナの個数だけ配置され、関連するＰＣＢボード８が次に積層される構造を有する。キャビティフィルタ７は、実装前に個別的に仕様に合わせた周波数特性を有するように細部的にチューニングおよび検証されて用意できる。このようなチューニングおよび検証過程は、実装状態と同じ特性の環境で迅速に行われることが好ましい。
【００３５】
図２は、本発明の一実施形態によるキャビティフィルタがアンテナボードと制御ボードとの間に積層された状態を示す断面図である。
【００３６】
本発明の一実施形態によるキャビティフィルタ２０は、図２を参照すれば、図１に示された通常のＲＦコネクタ９０を排除可能なため、その連結が容易になり、より低い高さプロファイルを有するアンテナ構造を提供することができる。
【００３７】
また、高さ方向の両面にＲＦ連結部を具備するが、本発明の一実施形態によるキャビティフィルタ２０で連結することにより、アンテナボード５あるいはＰＣＢボード８に振動および熱変形が発生してもＲＦ連結が同一に維持されて周波数特性の変化がないという利点がある。
【００３８】
図３は、本発明の一実施形態によるキャビティフィルタの構造を底側から眺めた平面透視図である。
【００３９】
図３を参照すれば、本発明の一実施形態によるキャビティフィルタ２０は、ＲＦ信号連結部３１（図４以下の図面符号３１参照）を含み、内部が中空の第１ケース（図面符号表記せず）と、第１ケースを覆う第２ケース（図面符号表記せず）と、第１ケースの長手方向の両側にキャビティフィルタ２０の高さ方向に備えられた端子部（図４の図面符号４０参照）と、端子部４０の両側に備えられた組立穴２３を含むフィルタモジュール３０とを含む。端子部４０は、第１ケースに備えられた端子挿入口２５を貫通して外部部材８、例えば、アンテナボードおよびＰＣＢボードのいずれか１つで備えられた外部部材８の電極パッド（図面符号表記せず）とＲＦ信号連結部３１とを電気的に連結する。
【００４０】
このような端子部４０は、ＲＦ信号連結部３１によって、図面上、その下端が支持され、上側でアンテナボードおよびＰＣＢボードのいずれか１つで備えられた外部部材８が密着結合される時、アンテナボードまたはＰＣＢボードのような外部部材８の一面に形成された電極パッドに対して常時接点しながら、端子挿入口２５内に存在する組立公差を解消することができる。
【００４１】
本発明の一実施形態によるキャビティフィルタ２０において、端子部４０は、一体型で備えられる。このように端子部４０が一体型で備えられた場合には、組立者による所定の組立力が供給されると、上述した組立公差の解消のために、端子部４０をなす一部が弾性変形する弾性体で備えられることが好ましい。ただし、端子部４０が一体に形成された一体型フィルタは、その一端と他端との間まで電気的な流れの断絶が予見されないことから、別途に側面テンションを付加するための別の形状設計を必要としない。
【００４２】
しかし、本発明の一実施形態において、端子部４０が必ずしも一体型で備えられるべきではなく、２つの部材に分離された分離型フィルタで備えられてもよい。このように、端子部４０が２つの部材に分離された分離型フィルタで備えられた場合、組立公差の解消は、分離された一側端子５０と他側端子６０とが上述した所定の組立力によって互いにオーバーラップされて移動しながら全体長さが収縮可能に備えられ、組立力が除去される時、その全体長さが伸長して復元されるように別の弾性部材８０が備えられる。ただし、端子部４０が一側端子５０と他側端子６０とに分離されて備えられることから、互いにオーバーラップされて移動する時、電気的な流れの断絶が発生する恐れがあるので、一側端子５０および他側端子６０のいずれか１つが弾性体で備えられるか、側面テンションを付加するための別の形状変更が必須として要求される。
【００４３】
ここで、「側面テンション」という用語は、上述のように、一側端子５０と他側端子６０との間の電気的な流れの断絶を防止するために、一側端子５０および他側端子６０のいずれか１つが他の１つに向かって長手方向と異なる方向に伝達する力と定義することができる。
【００４４】
一方、アンテナ装置の特性上、上述した端子部４０の形状変更の設計時には、上述した端子挿入口２５内でのインピーダンスマッチング設計が並行されなければならないが、本発明によるキャビティフィルタ２０の実施例の詳細な説明では、端子挿入口２５内でのインピーダンスが整合された状態であることを前提として記述する。したがって、図４以下の図面により説明する本発明によるキャビティフィルタの実施例の構成のうち、端子挿入口２５内に端子部４０とともに挿入される誘電体または補強プレートのような構成の外形は、インピーダンスマッチング設計によってそれぞれ異なる形状を取ることができる。
【００４５】
図４は、第１実施例によるキャビティフィルタの一部の構成を示す分解斜視図であり、図５は、本発明の第１実施例によるキャビティフィルタを示す断面図であり、図６は、図４の構成のうち端子部を示す斜視図である。
【００４６】
本発明の第１実施例によるキャビティフィルタ２０は、図４〜図６に示すように、外部部材８の一面に（特に、電極パッド（図面符号表記せず））に対して所定距離離隔して備えられたＲＦ信号連結部３１と、外部部材８の電極パッドとＲＦ信号連結部３１とを電気的に連結させるが、前記所定距離に存在する組立公差の解消が可能になると同時に電極パッドとＲＦ信号連結部との間の電気的な流れが断絶されるのを防止する構造を有する端子部４０とを含む。
【００４７】
ここで、外部部材８は、図２に示すように、他面にアンテナ素子が配置されたアンテナボードまたは増幅器（Ｐｏｗｅｒ  Ａｍｐｌｉｆｉｅｒ、ＰＡ）、デジタルボード（Ｄｉｇｉｔａｌ  ｂｏａｒｄ）およびＴＸ  Ｃａｌｉｂｒａｔｉｏｎが一体のワンボード（ｏｎｅ−ｂｏａｒｄ）で備えられたＰＣＢボードのいずれか１つを通称する用語であり得る。
【００４８】
以下では、図３のように、本発明によるキャビティフィルタ２０の実施例を構成する外観構成を第１ケースおよび第２ケースに区分せず、端子挿入口２５が備えられたフィルタ本体２１と通称し、図面符号２１で指し示す。
【００４９】
フィルタ本体２１には、図４および図５に示すように、端子挿入口２５が中空形態で備えられてもよい。端子挿入口２５の形態は、後述する複数の実施例に適用されるインピーダンスマッチング設計によって異なる形態を有することができる。
【００５０】
フィルタ本体２１の一面、特に、後述する端子部４０のうち一側端子５０が備えられた側の一面にはワッシャ設置部２７が溝加工されて形成される。ワッシャ設置部２７は、後述するスターワッシャ９０の外側枠部位が係止されて上側に離脱することが防止されるように端子挿入口２５よりも大きい内径を有するように溝加工形成されてもよい。
【００５１】
同時に、本発明の第１実施例によるキャビティフィルタ２０は、ワッシャ設置部２７に設置固定されるスターワッシャ９０をさらに含むことができる。
【００５２】
以下、本発明の第１実施例だけでなく、後述する本発明のすべての実施例に共通してスターワッシャ９０が備えられるものとして前提して説明する。したがって、第１実施例以外の他の実施例において別途にスターワッシャ９０に関する具体的な説明がなくてもこれを含むものと理解されなければならない。
【００５３】
スターワッシャ９０は、リング形状に備えられた固定段９１がワッシャ設置部２７に固定され、固定段９１からアンテナボードおよびＰＣＢボードのいずれか１つで備えられた外部部材８の電極パッド側の中心に向かって上方傾斜して形成された複数の支持段９２を含むことができる。
【００５４】
このようなスターワッシャ９０は、組立者によってアンテナボードおよびＰＣＢボードのいずれか１つで備えられた外部部材８に、本発明によるキャビティフィルタ２０の実施例を組立てる場合、上述した組立穴を通した、図示しない締結部材などによる締結力に対して、複数の支持段９２がアンテナボードおよびＰＣＢボードのいずれか１つで備えられた外部部材８の一面に支持されながら弾性力を付加することができる。
【００５５】
このような複数の支持段９２の弾性力の付加は、端子部４０の電極パッドに対する接触面積を均一に維持させることができる。
【００５６】
また、スターワッシャ９０のリング形状の固定段９１が電気的な信号を伝達するように備えられた端子部４０の外側を取り囲むように備えられて、一種の接地端子（Ｇｒｏｕｎｄ  ｔｅｒｍｉｎａｌ）の役割を果たすことができる。
【００５７】
さらに、スターワッシャ９０は、本発明によるキャビティフィルタ２０の実施例のアンテナボードおよびＰＣＢボードのいずれか１つで備えられた外部部材８の間に存在する組立公差を解消する役割を果たす。
【００５８】
ただし、スターワッシャ９０によって吸収される組立公差は、後述のように、端子挿入口２５内に存在するものとして、端子部４０によって吸収される組立公差とは区別される概念である。すなわち、本発明の実施例によるキャビティフィルタは、単一の組立過程で別の部材によって少なくとも２箇所で全体的な組立公差を吸収するように設計されることで、より安定的な結合をはかることができる。
【００５９】
本発明の第１実施例によるキャビティフィルタ２０において、端子部４０は、図４〜図６に示すように、アンテナボードおよびＰＣＢボードのいずれか１つで備えられた外部部材８の電極パッドとＲＦ信号連結部３１との間に配置されて、組立者の組立力が提供されると、全部または一部の形状が変形しながら、端子挿入口２５内に存在する組立公差を吸収するように備えられる。
【００６０】
本発明の第１実施例によるキャビティフィルタ２０では、端子部４０が導電性材質からなるが、単数個の単一端子部で備えられ、上述のように、組立力による形状変形のための弾性変形部５４が備えられてもよい。
【００６１】
上述した端子挿入口２５内に存在する組立公差を吸収するための技術的構成として、端子部４０を２つ以上備えるが、端子部４０を構成する各端子（仮に、一側端子および他側端子の２つに区分されるものとする）が組立力によって互いにオーバーラップされて移動するように配置される構造を採用することができ、本発明の第１実施例によるキャビティフィルタ２０におけるように、端子部４０を単数個の単一端子部で備えるが、その一部が組立力によって形状変形する構造を採用することができる。
【００６２】
端子部４０を単一端子部で備える場合、２つ以上の端子に分けられる場合とは異なり、電気的な流れの断絶の問題は予見されないので、２つ以上の端子の間に側面テンションを付加するための別のテンション切開部は備える必要がない。
【００６３】
ただし、端子部４０を単一端子部で採用する場合、上述のように、端子挿入口２５内に存在する組立公差の吸収のために、それ自体で長手方向に対して伸縮可能な弾性変形部５４を有することが好ましい。
【００６４】
本発明の第１実施例によるキャビティフィルタ２０において、端子部４０は、図４〜図６に示すように、上下方向に伝達される組立力によって端子部４０の上端と下端との間の距離が伸縮するように外周面の一部が面取りされた複数の弾性変形部５４が形成される。
【００６５】
複数の弾性変形部５４は、端子部４０の円周形態の外周面の一部が一側から他側方向に所定高さだけ面取り形成されるが、上下方向に複数個が形成され、隣接する弾性変形部５４の面取り方向は互いに反対方向に形成されてもよい。同時に、隣接する弾性変形部５４の面取り部位は、少なくとも一部が重なるように形成されてもよい。
【００６６】
したがって、組立者による組立力によって、端子部４０の上端部である接点部５３が押圧される場合、弾性変形部５４の面取りされた入口部位が積層された板スプリングのように近接するように形状変形しながら、端子挿入口２５内に存在する組立公差を吸収することができる。
【００６７】
同時に、本発明の第１実施例によるキャビティフィルタ２０は、図４〜図６に示すように、端子挿入口２５内に配置され、端子部４０の下端部５６が貫通して支持される補強プレート９５をさらに含むことができる。
【００６８】
補強プレート９５には、端子部４０の下端部５６が貫通する端子貫通ホール９７が形成される。このような補強プレート９５は、端子挿入口２５内に備えられた挿入口支持段２８にその枠の下面が支持可能である。
【００６９】
このような補強プレート９５は、端子部４０の下端部を支持することにより、組立者が提供する組立力によって端子部４０が過度に下方に移動することを制限することにより、結果として、ＲＦ信号連結部３１を補強する役割を果たす。
【００７０】
このように、本発明の第１実施例によるキャビティフィルタ２０は、単一端子部で備えられた端子部４０によって電気的な流れが断絶されないようにすると同時に、端子挿入口２５内で組立力による伸縮が可能なため、端子挿入口２５内に存在する組立公差を解消することができる。
【００７１】
しかし、端子挿入口２５内で端子部４０自体が伸縮可能に備えられる場合、必ずしも単一の端子部で備えられることに限定されるべきではなく、実施例によっては、端子部４０を電極パッドに接点する一側端子と、ＲＦ信号連結部３１に固定される他側端子とに分けて備えられるが、２つのいずれか１つが自体で予想される組立公差だけ伸縮可能に備えられれば十分であると見なされる。これについては、後述する実施例により具体的に説明する。
【００７２】
図７は、本発明の第２実施例によるキャビティフィルタの一部の構成を示す分解斜視図であり、図８は、図７の構成のうち端子挿入口への端子部挿入設置の様子を示す断面図であり、図９は、図７の構成のうち端子部を示す斜視図である。
【００７３】
本発明の第２実施例によるキャビティフィルタ２０は、図７〜図９に示すように、第１実施例によるキャビティフィルタ２０と対比して、アンテナボードおよびＰＣＢボードのいずれか１つで備えられた外部部材８の電極パッドに接点するようにラウンド形成されたラウンド接点部１５２と、ラウンド接点部１５２から直下方に延び、ＲＦ信号連結部３１から延長形成されたプレート部位に形成されたソルダホール３２にソルダ固定される垂直連結部１５１とを含む端子部１５０を含むことができる。
【００７４】
ここで、ラウンド接点部１５２は、略記号文字である「疑問符（？）」の上部断面形状を有するようにラウンド形成されてもよい。
【００７５】
同時に、端子挿入口２５内にはインピーダンスマッチング設計のための誘電体１７０が挿入され、誘電体１７０には垂直連結部１５１の貫通する端子貫通ホール１７３が形成される。
【００７６】
上記のように構成された本発明の第２実施例によるキャビティフィルタ２０は、組立者の組立力が端子部１５０に提供される場合、弾性変形部に相当するラウンド接点部１５２の先端が下方に押圧されながら弾性変形する動作で、端子挿入口２５内に存在する組立公差を吸収することができる。
【００７７】
図１０は、本発明の第３実施例によるキャビティフィルタの一部の構成を示す分解斜視図であり、図１１は、図１０の構成のうち端子挿入口への端子部挿入設置の様子を示す断面図であり、図１２は、図１０の構成のうち端子部を示す斜視図である。
【００７８】
本発明の第３実施例によるキャビティフィルタ２０は、図１０〜図１２に示すように、アンテナボードおよびＰＣＢボードのいずれか１つで備えられた外部部材８の電極パッドに接点するようにラウンド形成されたラウンド接点部２５２と、ラウンド接点部２５２から直下方に延びた連結端子部２５１と、連結端子部２５１の下端から端子挿入口２５の直下方一側に備えられたＲＦ信号連結部（図面符号表記せず）に向かって折曲延長された折曲連結部２５３とを含む端子部２４０を含むことができる。この場合には、別途にＲＦ信号連結部から水平に延長形成されるプレートのような構成は削除されることが好ましい。
【００７９】
ここで、ラウンド接点部２５２は、略記号文字である「疑問符（？）」の上部断面形状を有するようにラウンド形成され、連結端子部２５１と折曲連結部２５３は、ラウンド接点部２５２を除いて、下端部が略直交して折曲げられた英語文字である「Ｌ」字の下部断面形状を有するように折曲形成されてもよい。
【００８０】
同時に、端子挿入口２５内には、インピーダンスマッチング設計のための誘電体２７０が挿入され、誘電体２７０には、連結端子部２５１の貫通する端子貫通ホール２７３が形成される。
【００８１】
上記のように構成された本発明の第３実施例によるキャビティフィルタ２０は、組立者の組立力が端子部２４０に提供される場合、弾性変形部に相当するラウンド接点部２５２の先端が下方に押圧されながら弾性変形する動作で、端子挿入口２５内に存在する組立公差を吸収することができる。
【００８２】
図１３は、本発明の第４実施例によるキャビティフィルタの一部の構成を示す分解斜視図であり、図１４は、図１３の構成のうち端子挿入口への端子部挿入設置の様子を示す断面図であり、図１５は、図１３の構成のうち端子部を示す斜視図である。
【００８３】
本発明の第４実施例によるキャビティフィルタ２０は、図１３〜図１５に示すように、アンテナボードおよびＰＣＢボードのいずれか１つで備えられた外部部材８の電極パッドに接点するように上下垂直に形成された垂直接点部３５２と、垂直接点部３５２と一体に形成され且つＲＦ信号連結部３１としてプレート形態で延びた部位に形成されたソルダホール３２にソルダ固定される垂直連結部３５１と、垂直接点部３５２と垂直連結部３５１との間にジグザグ状に折曲げられた折曲部３５３とを含む端子部３４０を含むことができる。
【００８４】
上記のように構成された本発明の第４実施例によるキャビティフィルタ２０は、組立者の組立力が単一端子部３４０に提供される場合、弾性変形部に相当する折曲部３５３が上下方向に折れながら弾性変形する動作で、端子挿入口２５内に存在する組立公差を吸収することができる。
【００８５】
その他、端子貫通ホール３７１が形成された誘電体３７０の構成およびその他の構成は、第３実施例によるキャビティフィルタ２０と類似または同一に備えられるので、具体的な説明は省略する。
【００８６】
図１６は、本発明の第５実施例によるキャビティフィルタの一部の構成を示す分解斜視図であり、図１７は、図１６の構成のうち端子挿入口への端子部挿入設置の様子を示す断面図であり、図１８は、図１６の構成のうち端子部を示す斜視図である。
【００８７】
本発明の第５実施例によるキャビティフィルタ２０は、図１６〜図１８に示すように、アンテナボードおよびＰＣＢボードのいずれか１つで備えられた外部部材８の電極パッドに接点するように上下垂直に形成された垂直接点部４５１と、垂直接点部４５１の下端から端子挿入口２５の直下方一側に備えられたＲＦ信号連結部３１に向かって折曲延長された水平連結部４５３とを含む端子部４４０を含むことができる。この場合にも、別途にＲＦ信号連結部３１から水平に延長形成されるプレートのような構成は削除されることが好ましい。
【００８８】
本発明の第５実施例によるキャビティフィルタ２０の端子部４４０の構成のうち垂直接点部４５１は、第４実施例によるキャビティフィルタ２０の端子部３４０の構成のうち垂直接点部３５２に対応し、第５実施例によるキャビティフィルタ２０の水平連結部４５３は、第３実施例によるキャビティフィルタ２０の端子部２４０の構成のうち折曲連結部２５３に対応する構成である。
【００８９】
このように構成された本発明の第５実施例によるキャビティフィルタ２０は、水平連結部４５３がＲＦ信号連結部３１に対して片持ち梁状に固定されることから、組立者の組立力によって垂直接点部４５１の押圧力は、一種のモーメントとして作用しながら水平連結部４５３が下方に傾く動作で弾性変形して端子挿入口２５内に存在する組立公差を吸収することができる。したがって、第５実施例によるキャビティフィルタ２０において、端子部４４０は、別の弾性変形部が可視的に形成されるのではなく、水平連結部４５３の固定点を除いた端子部４４０全体の弾性変形によって組立公差を吸収することができる。
【００９０】
図１９は、本発明の第６実施例によるキャビティフィルタの一部の構成を示す分解斜視図であり、図２０は、図１９の構成のうち端子挿入口への端子部挿入設置の様子を示す断面図であり、図２１は、図１９の構成のうち端子部を示す斜視図である。
【００９１】
本発明の第６実施例によるキャビティフィルタ２０は、図１９〜図２１に示すように、組立者が提供する組立力によって自体弾性変形し、端子挿入口２５のうち上側に配置されるが、アンテナボードおよびＰＣＢボードのいずれか１つで備えられた外部部材８に形成された電極パッドに接点可能に配置された一側端子５５０と、端子挿入口２５のうち下側に配置されるが、ＲＦ信号連結部３１のプレートに形成されたソルダホール３２にソルダ固定される他側端子５６０とを含む端子部５４０を含むことができる。
【００９２】
ここで、一側端子５５０は、電極パッドに上側が接触するようにラウンド形成された接点部５５１と、接点部５５１の下端から水平に延び、他側端子５６０に固定される端子固定部５５２とを含むことができる。
【００９３】
同時に、他側端子５６０の上端部５６１には、一側端子５５０の端子固定部５５２が挿入される固定溝５６４が形成され、他側端子５６０の下端部５６２は、ＲＦ信号連結部３１のプレートに形成されたソルダホール３２に挿入されてソルダ固定される。
【００９４】
また、他側端子５６０の固定溝５６４の下側に相当する外周面には、一側端子５５０の過度な弾性変形を防止するストップリブ５６３が外側に突出して備えられる。
【００９５】
一側端子５５０は、端子固定部５５２が他側端子５６０の固定溝５６４に固定された状態であって、組立者の組立力が提供されない場合には、接点部５５１の先端部がストップリブ５６３のリブ面に対して所定距離上側に離隔して位置し、組立者の組立力が提供されるにつれて弾性変形しながらストップリブ５６３に係止される。
【００９６】
したがって、組立者の組立力が提供されない状態で、ストップリブ５６３のリブ面と接点部５５１の先端部との間の離隔距離は、少なくとも端子挿入口２５内に存在する組立公差を全部吸収できる程度の長さに設計されることが好ましい。
【００９７】
一方、本発明の第６実施例によるキャビティフィルタ２０は、図１９および図２０に示すように、端子挿入口２５内に配置されるが、他側端子５６０が貫通して固定される端子貫通ホール５７１が形成された誘電体５７０をさらに含むことができる。
【００９８】
このように形成された本発明の第６実施例によるキャビティフィルタ２０は、組立者の組立力が提供されると、一側端子５５０が弾性変形部として、ラウンド形成された接点部５５１が弾性変形する動作で端子挿入口２５内に存在する組立公差を吸収することができる。
【００９９】
また、一側端子５５０と他側端子５６０は、いずれも導電性材質からなり、他側端子５６０の固定溝５６４に一側端子５５０の端子固定部５５２が強固に固定されることから、別途に側面テンションを付加するためのテンション切開部の具備が要求されない。
【０１００】
図２２は、本発明の第７実施例によるキャビティフィルタの一部の構成を示す分解斜視図であり、図２３は、図２２の構成のうち端子挿入口への端子部挿入設置の様子を示す断面図であり、図２４は、図２２の構成のうち端子部を示す斜視図である。
【０１０１】
本発明の第７実施例によるキャビティフィルタ２０は、図２２〜図２４に示すように、組立者が提供する組立力によって自体弾性変形し、端子挿入口２５のうち上側に配置されるが、アンテナボードおよびＰＣＢボードのいずれか１つで備えられた外部部材８に形成された電極パッドに接点可能に配置された一側端子６５０と、端子挿入口２５のうち下側に配置されるが、ＲＦ信号連結部３１のプレートに形成されたソルダホール３２にソルダ固定される他側端子６６０とを含む端子部６４０を含むことができる。
【０１０２】
このような構成からなる本発明の第７実施例によるキャビティフィルタ２０は、第６実施例によるキャビティフィルタ２０と対比して、一側端子６５０の端子固定部６５２が他側端子６６０の上面に密着固定される。一側端子６５０と他側端子６６０の固定方法は、ソルダ方式で固定できることはもちろん、その他の締結部材などを用いたいかなる方式による固定も可能である。
【０１０３】
また、本発明の第７実施例によるキャビティフィルタ２０は、第６実施例によるキャビティフィルタ２０と対比して、ストップリブ６６３が他側端子６６０の上面６６１の一部が下方に切開された段差面として形成される。
【０１０４】
端子挿入口２５内のインピーダンスマッチングのために挿入される誘電体６７０およびその他の構成は、第６実施例によるキャビティフィルタ２０と類似または同一に備えられるので、具体的な説明は省略する。
【０１０５】
図２５は、本発明の第８実施例によるキャビティフィルタの一部の構成を示す分解斜視図であり、図２６は、図２５の構成のうち端子挿入口への端子部挿入設置の様子を示す断面図であり、図２７は、図２５の構成のうち端子部を示す斜視図である。
【０１０６】
本発明の第８実施例によるキャビティフィルタ２０は、図２５〜図２７に示すように、端子挿入口２５のうち上側に配置されるが、アンテナボードおよびＰＣＢボードのいずれか１つで備えられた外部部材８に形成された電極パッドに接点可能に配置された一側端子７５０と、端子挿入口２５のうち下側に配置されるが、ＲＦ信号連結部３１の上面に支持されるように備えられ、組立者が提供する組立力によって自体弾性変形する他側端子７６０とを含む端子部７４０を含むことができる。
【０１０７】
同時に、本発明の第８実施例によるキャビティフィルタ２０は、端子挿入口２５内に配置され、一側端子７５０が貫通するように配置された端子貫通ホール７９７が形成された補強プレート７９５をさらに含むことができる。
【０１０８】
本発明の第８実施例によるキャビティフィルタ２０において、端子部７４０は、組立者から提供される組立力によって補強プレート７９５に形成された端子貫通ホール７９７のガイドを受けながら、図面上、上下方向に移動可能である。
【０１０９】
すなわち、一側端子７５０は、上述したアンテナボードおよびＰＣＢボードのいずれか１つで備えられた外部部材８の電極パッドに接点する所定の接点面を形成する接点部７５３を含み、組立者が提供する組立力によって補強プレート７９５の端子貫通ホール７９７を貫通して上下に移動可能に備えられる。同時に、一側端子７５０の外周面には、補強プレート７９５の端子貫通ホール７９７の下面枠部位に係止されて、外側への任意離脱を防止する離脱防止リブ７５２が形成される。
【０１１０】
一方、他側端子７６０は、一側端子７５０の下端面に固定される固定段７６２と、固定段７６２の一側から下方にラウンド延長され、ＲＦ信号連結部３１の上面に弾性支持される弾性支持部７６１とを含むことができる。
【０１１１】
弾性支持部７６１の先端は、組立者の組立力が提供されると、一側端子７５０が下方に押圧される動作で弾性変形するが、一側端子７５０の下端部に段付きに切開形成されたストップリブ７５５のリブ面を限度にして弾性変形可能である。
【０１１２】
上記のように構成された本発明の第８実施例によるキャビティフィルタ２０は、第７実施例のキャビティフィルタ２０と比較すれば、一側端子７５０と他側端子７６０が上下反転した形態を取る。同時に、第８実施例によるキャビティフィルタ２０において、誘電体７７０は、第１実施例によるキャビティフィルタ２０の補強プレート９５とインピーダンス整合設計が可能な範囲でそのまま代替できる構成である。
【０１１３】
その他の構成は、すべて第７実施例によるキャビティフィルタ２０と類似または同一の構成で備えられるので、その具体的な説明は省略する。
【０１１４】
図２８は、本発明の第９実施例によるキャビティフィルタの一部の構成を示す分解斜視図であり、図２９は、図２８の構成のうち端子挿入口への端子部挿入設置の様子を示す断面図であり、図３０は、図２８の構成のうち端子部を示す斜視図である。
【０１１５】
本発明の第９実施例によるキャビティフィルタ２０は、図２８〜図３０に示すように、端子挿入口２５のうち上側に配置されるが、アンテナボードおよびＰＣＢボードのいずれか１つで備えられた外部部材８に形成された電極パッドに接点可能に配置された一側端子８５０と、端子挿入口２５のうち下側に配置されるが、ＲＦ信号連結部３１の上面に固定され、組立者が提供する組立力によって自体弾性変形する他側端子８６０とを含む端子部８４０を含むことができる。
【０１１６】
ここで、端子部８４０のうち他側端子８６０は、ＲＦ信号連結部３１の上面に固定される固定段８６１と、一側端子８５０の下部面に弾性支持されるようにラウンドに備えられて弾性変形する弾性支持部８６２とを含むことができる。
【０１１７】
本発明の第９実施例によるキャビティフィルタ２０は、他側端子７６０の弾性支持部７６２がＲＦ信号連結部３１の上面を支持する上述した第８実施例によるキャビティフィルタ２０とは異なり、他側端子８６０の弾性支持部８６２が一側端子８５０の下端に支持されるように構成される。
【０１１８】
その他、端子挿入口２５内に配置される端子貫通ホール８９７が形成された補強プレート８９５は、第９実施例によるキャビティフィルタ２０と類似または同一の構成で備えられるので、具体的な説明は省略する。
【０１１９】
図３１は、本発明の第１０実施例によるキャビティフィルタの一部の構成を示す分解斜視図であり、図３２は、図３１の構成のうち端子挿入口への端子部挿入設置の様子を示す断面図であり、図３３は、図３１の構成のうち端子部を示す斜視図である。
【０１２０】
本発明の第１０実施例によるキャビティフィルタ２０は、図３１〜図３３に示すように、端子挿入口２５のうち上側に配置されるが、アンテナボードおよびＰＣＢボードのいずれか１つで備えられた外部部材８に形成された電極パッドの一面に固定された一側端子９５０と、上端部９６１が端子挿入口２５内に固定され、下端部９６２がＲＦ信号連結部３１のプレートに形成されたソルダホール３２にソルダ固定される他側端子９６０とを含む。
【０１２１】
ここで、一側端子９５０は、アンテナボードおよびＰＣＢボードのいずれか１つで備えられた外部部材８の電極パッドと常時接点となるようにその一面に固定される固定段９５２と、固定段９５２の一端から下方にラウンド折曲延長されて他側端子９６０の上端部９６１の上面に弾性支持されて組立者が提供する組立力によって弾性変形する弾性支持部９５１とを含むことができる。
【０１２２】
一方、他側端子９６０は、図３２に示すように、上端部９６１が端子挿入口２５内に備えられた補強プレート９９５の端子貫通ホール９９７を通して貫通するように配置されるが、下端部９６２がＲＦ信号連結部３１のプレートに形成されたソルダホール３２にソルダ固定される。同時に、他側端子９６０の外周面には、補強プレート９９５の端子貫通ホール９９７の下面枠側に係止されて、端子挿入口２５の外側に他側端子９６０の離脱を防止するための離脱防止リブ９６３が形成される。
【０１２３】
このような構成からなる本発明の第１０実施例によるキャビティフィルタ２０は、その端子部９４０が第９実施例によるキャビティフィルタ２０の端子部８４０が上下反転した形態を取る。
【０１２４】
すなわち、本発明の第１０実施例によるキャビティフィルタ２０において、端子部９４０のうち一側端子９５０の固定段９５２は、アンテナボードおよびＰＣＢボードのいずれか１つで備えられた外部部材８の一面に形成された電極パッドに対して密着固定できる。
【０１２５】
ここで、一側端子９５０と他側端子９６０は、物理的に互いに分離された形態で備えられるが、図３２に示すように、組立者の組立力が提供されると、一側端子９５０の弾性支持部９５１が弾性変形する弾性変形部として、持続的に他側端子９６０の上部面を支持することから、端子挿入口２５内の組立公差を吸収すると同時に電気的な流れの断絶を防止することができる。
【０１２６】
図３４は、本発明の第１１実施例によるキャビティフィルタの一部の構成を示す分解斜視図であり、図３５は、図３４の構成のうち端子挿入口への端子部挿入設置の様子を示す断面図であり、図３６は、図３４の構成のうち端子部を示す斜視図である。
【０１２７】
本発明の第１１実施例によるキャビティフィルタ２０は、図３４〜図３６を参照すれば、端子挿入口２５内に配置されるが、上側に配置されたアンテナボードおよびＰＣＢボードのいずれか１つで備えられた外部部材８の一面に形成された電極パッドと接点可能に配置された接点部１０５１と、接点部１０５１の下端から端子挿入口２５の直下方一側に備えられたＲＦ信号連結部３１に向かって折曲延長された水平連結部１０５２と、接点部１０５１と水平連結部１０５２との間に配置され、水平方向にジグザグ折曲連結された弾性端子部１０５３とを含む端子部１０４０を含むことができる。この場合にも、別途にＲＦ信号連結部３１から水平に延長形成されるプレートのような構成は削除されることが好ましい。
【０１２８】
また、本発明の第１１実施例によるキャビティフィルタ２０は、端子部１０４０の構成のうち接点部１０５１の上端部および水平連結部１０５２の一部を除いた残りを取り囲むように端子挿入口２５内に配置される誘電体１０６０をさらに含むことができる。
【０１２９】
誘電体１０６０の上面１０６１には、接点部１０５１の上端部が上部に貫通して突出するように接点部側貫通ホール１０６５が形成され、誘電体１０６０の下側１０６２の外周面には、水平連結部１０５２が水平に貫通する連結部側貫通ホール１０６４が形成される。
【０１３０】
同時に、誘電体１０６０の接点部側貫通ホール１０６５には、水平方向に連結されたガイドバー１０６３が備えられ、ガイドバー１０６３は、接点部１０５１が形成された上端部に上下に長く切開形成されたガイドスロット１０５４を貫通するように備えられることにより、組立者が提供する組立力による弾性端子部１０５３の弾性変形時、接点部１０５１の上下方向の移動が安定的にガイドできる。ここで、弾性端子部１０５３は、組立者が提供する組立力による端子挿入口２５内に存在する組立公差を吸収する弾性変形部としての役割を果たすことができる。
【０１３１】
図３７は、本発明の第１２実施例によるキャビティフィルタの一部の構成を示す分解斜視図であり、図３８は、図３７の構成のうち端子挿入口への端子部挿入設置の様子を示す断面図であり、図３９は、図３７の構成のうち端子部を示す斜視図である。
【０１３２】
本発明の第１２実施例によるキャビティフィルタ２０は、図３７〜図３９に示すように、端子挿入口２５のうち上側に配置され、アンテナボードおよびＰＣＢボードのいずれか１つで備えられた外部部材８の一面に形成された電極パッドに接点可能に備えられた一側端子１１５０と、端子挿入口２５のうち下側に配置され、ＲＦ信号連結部３１のプレートに形成されたソルダホール３２にソルダ固定される他側端子１１６０とを含む端子部１１４０を含むことができる。
【０１３３】
ここで、一側端子１１５０は、すでに説明した第６実施例によるキャビティフィルタ２０と同じく、電極パッドに上側が接触するようにラウンド形成された接点部１１５１と、接点部１１５１の下端から垂直に延び、他側端子１１６０に固定される端子固定部１１５２とを含むことができる。
【０１３４】
一方、本発明の第１２実施例によるキャビティフィルタ２０と、第６実施例によるキャビティフィルタ２０との相違点は、一側端子１１５０の接点部１１５１が少なくとも３つに分けられるように複数の端子切開部１１５３が形成されるという点である。すなわち、一側端子１１５０の接点部１１５１は、図３９に示すように、３つに分けられるように２つの端子切開部１１５３が形成されて、組立者が提供する組立力による弾性変形の可能性がさらに増大できる。
【０１３５】
同時に、一側端子１１５０の端子固定部１１５２は、他側端子１１６０の上端部１１６１の側面にソルダ方式または締結部材による締結方式など、多様な方式のいずれか１つの方式で固定できる。
【０１３６】
また、他側端子１１６０の外周面には、一側端子１１５０のうち接点部１１５１の過度な弾性変形を防止するストップリブ１１６３が外側に突出して備えられる。
【０１３７】
一方、端子挿入口２５内のインピーダンスマッチングのために挿入される誘電体１１７０およびその他の構成は、第６実施例によるキャビティフィルタ２０と類似または同一に備えられるので、具体的な説明は第６実施例による説明に代える。
【０１３８】
図４０は、本発明によるコネクティング構造体の一実施形態を示す断面図である。
【０１３９】
これまで説明した本発明によるキャビティフィルタの多様な実施例は、一つのモジュールに製作されて、アンテナボードまたはＰＣＢボードのような外部部材８の一面に付着する形態で実現されることに限定して説明した。しかし、本発明の実施例が必ずしもこれに限定されるものではなく、図４０に示すように、モジュール形態への製作の如何に関係なく、外部部材８の一面に備えられた電極パッドとの間に備えられて、他の連結部材３１’との電気的な連結をはかる端子部４０が備えられたコネクティング構造体１’として実現される変形実施も可能であろう。
【０１４０】
以上の説明は本発明の技術思想を例示的に説明したに過ぎず、本発明の属する技術分野における通常の知識を有する者であれば、本発明の本質的な特性を逸脱しない範囲で多様な修正および変形が可能であろう。
【０１４１】
したがって、本発明に開示された実施例は本発明の技術思想を限定するためではなく説明するためのものであり、このような実施例によって本発明の技術思想の範囲が限定されるものではない。本発明の保護範囲は以下の特許請求の範囲によって解釈されなければならず、それと同等範囲内にあるすべての技術思想は本発明の権利範囲に含まれると解釈されなければならない。
【産業上の利用可能性】
【０１４２】
本発明は、ＲＦコネクタがボディ内に厚さ方向に内蔵されてよりスリムでコンパクトな構造設計が可能で、複数のフィルタの組立時に発生する組立公差の累積量を最小化できる組立方式と、実装が容易でありながらもフィルタの周波数特性を均一に維持するＲＦ信号連結構造設計が可能であり、相対的な動きを許容しながらも側面テンションを付加して安定的な連結が可能でアンテナの性能低下を防止できるキャビティフィルタおよびこれに含まれるコネクティング構造体を提供する。
【符号の説明】
【０１４３】
２０：キャビティフィルタ
２１：フィルタ本体
２５：端子挿入口
２７：設置溝
３０：フィルタモジュール
３１：ＲＦ信号連結部
３２：ソルダホール
４０：端子部
５０：一側端子
６０：他側端子
７０：誘電体
７１：端子貫通ホール
８０：弾性部材
９５：補強プレート
【図１】
2021527981.tif 000003
【図２】
2021527981.tif 000004
【図３】
2021527981.tif 000005
【図４】
2021527981.tif 000006
【図５】
2021527981.tif 000007
【図６】
2021527981.tif 000008
【図７】
2021527981.tif 000009
【図８】
2021527981.tif 000010
【図９】
2021527981.tif 000011
【図１０】
2021527981.tif 000012
【図１１】
2021527981.tif 000013
【図１２】
2021527981.tif 000014
【図１３】
2021527981.tif 000015
【図１４】
2021527981.tif 000016
【図１５】
2021527981.tif 000017
【図１６】
2021527981.tif 000018
【図１７】
2021527981.tif 000019
【図１８】
2021527981.tif 000020
【図１９】
2021527981.tif 000021
【図２０】
2021527981.tif 000022
【図２１】
2021527981.tif 000023
【図２２】
2021527981.tif 000024
【図２３】
2021527981.tif 000025
【図２４】
2021527981.tif 000026
【図２５】
2021527981.tif 000027
【図２６】
2021527981.tif 000028
【図２７】
2021527981.tif 000029
【図２８】
2021527981.tif 000030
【図２９】
2021527981.tif 000031
【図３０】
2021527981.tif 000032
【図３１】
2021527981.tif 000033
【図３２】
2021527981.tif 000034
【図３３】
2021527981.tif 000035
【図３４】
2021527981.tif 000036
【図３５】
2021527981.tif 000037
【図３６】
2021527981.tif 000038
【図３７】
2021527981.tif 000039
【図３８】
2021527981.tif 000040
【図３９】
2021527981.tif 000041
【図４０】
2021527981.tif 000042
【国際調査報告】
2021527981.tif 000043
2021527981.tif 000044
2021527981.tif 000045
2021527981.tif 000046